(57)【要約】【課題】手間のかかる調整作業を行うことなく、回転ガタを無くすことができるレンズフード、及び、レンズフードとレンズ鏡筒との接続構造を提供する。【解決手段】結像側端部にフード側接続構造が形成されたレンズフードと、被写体側端部にレンズ側接続構造が形成されたレンズ鏡筒とを、着脱可能に接続するレンズフードとレンズ鏡筒との接続構造において、レンズ鏡筒は、外面に周方向に延びるフランジ４２ａ、４２ｂを有し、レンズフードは、レンズフードの内面に形成され、フランジ４２ａ、４２ｂを収容可能な周方向に延びる第１及び第２の溝部３４ａ、３４ｂと、フランジ４２ａ、４２ｂの周方向の両端をそれぞれ拘束するロックコマ１０及びフードロックボタン６とを有し、ロックコマ１０が、フランジ４２ａをフードロックボタン６に向かって周方向に付勢するように構成されている【選択図】図８
2019148696.tif 000002
【特許請求の範囲】
【請求項１】
被写体側端部の外面に周方向に延びるフランジ部が形成されたレンズ鏡筒に取り付けられるレンズフードであって、
当該レンズフードの内面に形成され、前記フランジ部を収容可能な周方向に延びる溝部と、前記フランジ部の周方向の両端をそれぞれ拘束する一対の端部拘束機構とを有し、
前記一対の端部拘束機構のうちの一方の端部拘束機構が、前記フランジ部を他方の端部拘束機構に向かって周方向に付勢するように構成されている、ことを特徴とする、レンズフード。
【請求項２】
前記一方の端部拘束機構は、
当該レンズフードの内周面から半径方向内方に突出可能なロックコマと、
前記ロックコマを当該レンズフードの中心に向かって付勢する付勢部材と、を有し、
前記ロックコマは、当該レンズフードの半径方向外方に向かって、他方の端部拘束機構の側に周方向に進出するような傾斜面を有する、請求項１に記載のレンズフード。
【請求項３】
前記他方の端部拘束機構は、
当該レンズフードの内周面から半径方向内方に突出可能な係合部、及び、前記係合部を半径方向外方に退行させることができるボタン部を有するロックボタンと、
前記ロックボタンの前記係合部が当該レンズフードの内周面から半径方向内方に突出するように付勢するロックボタン付勢部材と、を有する、請求項１又は２に記載のレンズフード。
【請求項４】
レンズ鏡筒の被写体側端部にレンズフードを着脱可能に接続するためのレンズフードとレンズ鏡筒との接続構造であって、
前記レンズ鏡筒は、外面に周方向に延びるフランジ部を有し、
前記レンズフードは、当該レンズフードの内面に形成され、前記フランジ部を収容可能な周方向に延びる溝部と、前記フランジ部の周方向の両端をそれぞれ拘束する一対の端部拘束機構とを有し、
前記一対の端部拘束機構のうちの一方の端部拘束機構が、前記フランジ部を他方の端部拘束機構に向かって周方向に付勢するように構成されている、ことを特徴とするレンズフードとレンズ鏡筒との接続構造。
【発明の詳細な説明】
【技術分野】
【０００１】
本発明は、レンズフード、及び、このレンズフードとレンズ鏡筒との接続構造に関する。
【背景技術】
【０００２】
従来より、不要な光が光学系に入り込まないように、レンズ鏡筒の先端にレンズフードを取り付けて撮影を行うことがある。このようなレンズフードには、特定の角度からの光を遮断するため、被写体側の縁の四方が被写体側に突出した、いわゆる花形のものがある。花形のレンズフードは、突出した部分が上下及び左右に位置するような所定の角度位置でレンズ鏡筒に取り付けなければ、不要な光を遮断することができず、また、必要な光を遮断してしまう。そこで、例えば、特許文献１に記載されているように、鏡筒の外周面に凸部及び凹部のうちの一方からなる鏡筒側嵌合部を設け、レンズフードの内周側に凸部及び凹部のうちの他方からなるフード側嵌合部を設けるバヨネット構造の接続構造が知られている。バヨネット構造の接続構造によれば、鏡筒側嵌合部とフード側嵌合部を嵌合させると、凸部が凹部に入り込む際にクリック感が発生するため、使用者はレンズフードを所定の角度位置にレンズ鏡筒に取り付けたことを確認することができる。
【０００３】
また、他のレンズフードとレンズ鏡筒との接続構造として、フードに外れ防止のロックボタンが付いたフードが用いられている。具体的には、レンズ鏡筒の被写体側の端部の外面に周方向に延びるフランジ部を設けておき、フードの結像側の端部の内面に溝部を形成し、溝部に半径方向内方に突出する径止部を形成するとともに、溝部内に突出可能なロックボタンを設けておく。そして、フランジ部を溝部に挿入するとともに、フランジ部の周方向の一端を径止部に当接させ、フランジ部の周方向の他端にロックボタンを当接させることにより、レンズフードをレンズ鏡筒に接続することができる。
【先行技術文献】
【特許文献】
【０００４】
【特許文献１】特開２０１７−４４８３５号公報
【発明の概要】
【発明が解決しようとする課題】
【０００５】
しかしながら、ロックボタンを有するフードを用いる場合には、ロックボタンが確実に閉じるように、レンズフードはレンズ鏡筒に対してある程度の回転ガタがなければならない。このため、使用時にレンズフードがレンズ鏡筒に対して揺れてしまい、衝突音が発生するなど、バヨネット構造に比べて装着感が悪かった。また、径止部とロックボタンとの周方向間隔を調整して回転ガタを少なくすることも行われているが、レンズフードを実際に作成して回転ガタの確認と修正を行うため、調整作業に時間がかかってしまう。
【０００６】
本発明は、上記の問題に鑑みなされたものであり、その目的は、手間のかかる調整作業を行うことなく、回転ガタを無くすことができるレンズフード、及び、レンズフードとレンズ鏡筒との接続構造を提供することである。
【課題を解決するための手段】
【０００７】
本発明のレンズフードは、被写体側端部の外面に周方向に延びるフランジ部が形成されたレンズ鏡筒に取り付けられるレンズフードであって、レンズフードの内面に形成され、フランジ部を収容可能な周方向に延びる溝部と、フランジ部の周方向の両端をそれぞれ拘束する一対の端部拘束機構とを有し、一対の端部拘束機構のうちの一方の端部拘束機構が、フランジ部を他方の端部拘束機構に向かって周方向に付勢するように構成されている、ことを特徴とする。
【０００８】
また、本発明のレンズフードとレンズ鏡筒との接続構造は、レンズ鏡筒の被写体側端部にレンズフードを着脱可能に接続するためのレンズフードとレンズ鏡筒との接続構造であって、レンズ鏡筒は、外面に周方向に延びるフランジ部を有し、レンズフードは、レンズフードの内面に形成され、フランジ部を収容可能な周方向に延びる溝部と、フランジ部の周方向の両端をそれぞれ拘束する一対の端部拘束機構とを有し、一対の端部拘束機構のうちの一方の端部拘束機構が、フランジ部を他方の端部拘束機構に向かって周方向に付勢するように構成されている、ことを特徴とする。
【発明の効果】
【０００９】
本発明によれば、手間のかかる調整作業を行うことなく、回転ガタを無くすことができるレンズフード、及び、レンズフードとレンズ鏡筒との接続構造が提供される。
【図面の簡単な説明】
【００１０】
【図１】本発明の一実施形態によるレンズフードとレンズ鏡筒との着脱構造に用いられるレンズフードの被写体側から見た斜視図である。
【図２】図１に示すレンズフードの被写体側から見た分解斜視図である。
【図３】図１に示すレンズフードの結像側から見た分解斜視図である。
【図４】図１に示すレンズフードの結像側から見た断面斜視図である。
【図５】図４におけるＶ部の拡大断面斜視図である。
【図６】図１に示すレンズフードの結像側から見た断面図である。
【図７】本発明の一実施形態によるレンズフードとレンズ鏡筒との着脱構造に用いられるレンズ鏡筒の接続部材を示す斜視図である。
【図８】図１に示すレンズフードを図７に示すレンズ鏡筒の接続部材に取り付けた状態におけるレンズフード及び鏡筒の接続部材断面図である。
【発明を実施するための形態】
【００１１】
以下、本発明のレンズフード、及び、このレンズフードとレンズ鏡筒との接続構造の一実施形態を図面を参照しながら説明する。
【００１２】
〔レンズフード〕
図１は、本発明の一実施形態によるレンズフードとレンズ鏡筒との着脱構造に用いられるレンズフードの被写体側から見た斜視図である。図２は、図１に示すレンズフードの被写体側から見た分解斜視図である。図３は、図１に示すレンズフードの結像側から見た分解斜視図である。図４は、図１に示すレンズフードの結像側から見た断面斜視図である。図５は、図４におけるＶ部の拡大断面斜視図である。図６は、図１に示すレンズフードの結像側から見た断面図である。
【００１３】
図１〜図３に示すように、レンズフード１は、フード本体２と、フード本体２の結像側に取り付けられるフード化粧環４と、フードロックボタン６と、ロックバネ８と、ロックコマ１０と、板バネ１２と、固定ビス１４とを備える。
フード本体２には、光軸方向に貫通する複数（本実施形態では５つ）の貫通孔２ａが周方向に間隔をあけて形成されている。また、フード化粧環４には、フード本体２の貫通孔２ａに対応する位置に内部にネジ穴４ａが形成されている。フードロックボタン６と、ロックバネ８と、ロックコマ１０と、板バネ１２と、をフード本体２の所定の箇所に配置した状態で、フード化粧環４をフード本体２の結像側に当接させ、固定ビス１４をフード本体２の貫通孔２ａを挿通させ、フード化粧環４のネジ穴４ａに螺合させることにより、レンズフード１は一体に組み立てられている。なお、固定ビス１４とねじ穴４ａとの螺合は特に限定されず、例えば、予め内部に螺条が形成されたねじ穴４ａに固定ビス１４を螺合させてもよいし、単に袋穴が形成されたねじ穴４ａにタップタイトネジでねじ山を作りながら固定ビス１４を螺合させてもよい。
【００１４】
図１〜図６に示すように、フード本体２は、外筒部１６と、外筒部１６の内側に配置された内筒部１８と、外筒部１６と内筒部１８の間を結ぶ接続部２０と、を有する。
外筒部１６は、全体として円筒状であり、取り付け状態で上下に位置する上下延出部１６ａと、左右に位置する左右延出部１６ｂとを有する。上下延出部１６ａ及び左右延出部１６ｂは被写体側に延出している。特に、上下延出部１６ａは、左右延出部１６ｂよりも被写体側まで延出している。上下延出部１６ａ及び左右延出部１６ｂの内周面には周方向に延びる複数の凸部が等間隔で形成されている。また、外筒部１６の結像側の縁のフードロックボタン６の操作部６ａが配置される個所には切り欠き部１６ｃ(図３)が形成されている。
【００１５】
接続部２０は光軸方向に見て環状であり、半径方向内方に向かって結像側に進出するように傾斜している。接続部２０の外端縁は外筒部１６の中間部に接続されており、接続部２０の内端縁は内筒部１８の被写体側の縁に接続されている。貫通孔２ａは接続部２０に形成されている。また、接続部２０のフードロックボタン６の軸部６ｄに相当する箇所には軸部６ｄを回転可能に収容する収容孔（図示せず）が形成されている。
【００１６】
内筒部１８は円筒状であり、その中心軸が外筒部１６の中心軸と一致するように配置されている。また、内筒部１８のフードロックボタン６のロック部６ｂに相当する箇所には切り欠き部１８ａが形成されている。また、内筒部１８のロックコマ１０に相当する箇所には開口１８ｂが形成されている。開口１８ｂの周方向両側には半径方向外方に延びる一対の平行なガイド部１７が形成されている。また、一対のガイド部１７の半径方向外方には、接続部２０から結像側に延びる一対の円柱状の突起１９が形成されている。
【００１７】
内筒部１８の内面には、略全周にわたって周方向に延び、複数に分割された第１の突部３０が形成されている。また、第１の突部３０の結像側には、光軸方向に所定の間隔をあけて一対の第２の突部３２が形成されている。一対の第２の突部３２は、光軸は挟んで対向する位置に、周方向に略９０度の範囲で延びている。第１の突部３０と第２の突部３２との間には、第１及び第２の溝部３４ａ、３４ｂが形成されている。第２の溝部３４ｂの周方向の一方の端部には、第２の突部３２の端部から第１の突部３０に延びる径止部３６(図３、６)が形成されている。
【００１８】
フード化粧環４は、截頭円錐台状の環状傾斜面２２と、環状傾斜面２２から被写体側に延びる外筒体２４及び内筒体２６を有する。環状傾斜面２２及び外筒体２４のフードロックボタン６の操作部６ａが配置される個所には、第１の切り欠き部２８が形成されている。また、内筒体２６のフードロックボタン６に相当する部分には、第１の切り欠き部２６ａが形成されている。また、外筒体２４及び内筒体２６のロックコマ１０に相当する箇所には、それぞれ、第２の切り欠き部２４ｂ、２６ｂが形成されている。フード化粧環４のフードロックボタン６の軸部６ｄに相当する箇所には軸部６ｄを回転可能に収容する収容孔２２ａ（図４）が形成されている。フード化粧環４は、外筒体２４がフード本体２の外筒部１６の半径方向内側に配置され、内筒体２６がフード本体２の内筒部１８の半径方向外側に配置された状態で、フード本体２に固定されている。
【００１９】
フードロックボタン６は、円弧状のアーム部６ｃと、アーム部６ｃの一端の半径方向外方に取り付けられた操作部６ａと、アーム部６ｃの他端の半径方向の内方に取り付けられたロック部６ｂと、アーム部６ｃの中央に光軸方向両側に突出するように設けられた軸部６ｄとを有する。レンズフード１を組み立てた状態で、被写体側の軸部６ｄは、フード本体２の収容孔２２ａに挿入され、結像側の軸部６ｄは、フード化粧環４の収容孔２２ａに収容されている。これにより、フードロックボタン６は軸部６ｄを中心に回動することができる。また、レンズフード１を組み立てた状態で、操作部６ａはフード本体２の切り欠き部１６ｃ及びフード化粧環４の第１の切り欠き部２８を通じて外方に突出している。また、フードロックボタン６のロック部６ｂは、フード本体２の切り欠き部１８ａ及びフード化粧環４の第１の切り欠き部２６ａを通って、第１の溝部３４ａの一方の端部に半径方向内方に突出している。また、ロック部６ｂの先端部の第１の溝部３４ａと反対側の部位には傾斜面６ｂ１（図４、６）が形成されている。傾斜面６ｂ１は、半径方向内方に向かって第１の溝部３４ａの側に傾斜している。また、ロック部６ｂの先端部の傾斜面６ｂ１の反対側の当接面６ｂ２（第１の溝部３４ａ側の面）は半径方向に延びている。
【００２０】
ロックバネ８は、金属製の細線がコイル状に巻かれてなる中心部８ｃと、中心部から側方に延びる第１及び第２の腕部８ａ、８ｂを有する。ロックバネ８は、中心部８ｃにフードロックボタン６の軸部６ｄが挿通し、第１の腕部８ａがフードロックボタン６の操作部６ａの半径方向内面側に当接し、第２の腕部８ｂがフード本体２に固定されている。これにより、フードロックボタン６は、ロックバネ８により操作部６ａが半径方向外方に位置し、かつ、ロック部６ｂがレンズフード１の半径方向内方に突出するように付勢される。そして、ロックバネ８の付勢力に抗して、操作部６ａを半径方向内方に押圧することにより、ロック部６ｂを半径方向外方へ退行させることができる。後述するように、フードロックボタン６及びロックバネ８は、フランジ４２ａの一端部を拘束する端部拘束機構として機能する。
【００２１】
図５に示すように、ロックコマ１０は、断面が略矩形状に形成された基部１０ｂと、先端に向かって細くなるように一対の傾斜面１０ａ１が周方向両側に形成された先端部１０ａと、を有する。基部１０ｂの幅は、先端部１０ａの幅よりも大きくなっている。基部１０ｂの半径方向外部には光軸方向に延びる凹部１０ｃが形成されている。ロックコマ１０は、先端部１０ａが開口１８ｂを挿通し、一対のガイド部１７が基部１０ｂの両側部に当接するように配置されている。これにより、ロックコマ１０はガイド部１７により案内されて、半径方向に移動することができる。また、フード本体２の内筒部１８の開口１８ｂ（図３）の両側に位置する縁部１８ｃは、ガイド部１７よりもロックコマ１０側に延出している。これにより、フード本体２の内筒部１８の縁部１８ｃに基部１０ｂの半径方向内側の面が当接すると、それ以上はロックコマ１０が半径方向内方に移動しないようにロックコマ１０の移動を規制する。なお、フード本体２の内筒部１８の縁部１８ｃに基部１０ｂの半径方向内側の面が当接した状態において、先端部１０ａの両側に傾斜面１０ａ１が形成された部分のみが内筒部１８の内面よりも内側に突出している。先端部１０ａに形成された傾斜面１０ａ１は、レンズフード１の半径方向外方に向かって周方向外側に向かって広がるように傾斜している。なお、ロックコマ１０は、フード本体２の第２の溝部３４ｂの端部に形成された径止部３６に対して、中心軸線を挟んで反対側の位置に配置されている。
【００２２】
板バネ１２は、略Ｖ字型の突出部１２ａと、突出部１２ａの両側から側方に延びるアーム部１２ｂと、アーム部１２ｂの側部に形成され、半径方向外方に屈曲された屈曲部１２ｃとを有する。板バネ１２は、一対の屈曲部１２ｃがそれぞれ突起１９に係合し、突出部１２ａが半径方向内方に位置するように、ロックコマ１０の半径方向外方に配置されている。板バネ１２の突出部１２ａは、ロックコマ１０の基部１０ｂの凹部１０ｃ内に位置している。これにより、ロックコマ１０は、板バネ１２により第１の溝部３４ａの他方の端部から突出するように、半径方向内方に向かって付勢されている。後述するように、ロックコマ１０及び板バネ１２は、フランジ４２ａの一端部を拘束する端部拘束機構として機能する。
【００２３】
〔レンズ鏡筒〕
図７は、本発明の一実施形態によるレンズフードとレンズ鏡筒との着脱構造に用いられるレンズ鏡筒の接続部材を示す斜視図である。
レンズ鏡筒は、レンズ鏡筒の被写体側端部に固定された接続部材４０を有する。図７に示すように接続部材４０は、レンズ鏡筒の被写体側に位置する筒体に接続される円環状の基部４０Ａと、基部４０Ａから被写体側に向けて延びる円筒状の接続部４０Ｂとを備える。
【００２４】
接続部４０Ｂの外周面には、半径方向外方に突出し、円周方向に延びる一対のフランジ４２ａ、４２ｂが形成されている。一対のフランジ４２ａ、４２ｂは中心軸を挟んだ反対側に位置している。一対のフランジ４２ａ、４２ｂの周方向の角度幅は、ロックコマ１０の傾斜面１０ａ１の基部１０ｂ側端部と、フードロックボタン６のロック部６ｂの当接面６ｂ２との間の周方向角度幅よりもわずかに大きく、ロックコマ１０の傾斜面１０ａ１の先端側端部と、フードロックボタン６のロック部６ｂの当接面６ｂ２との間の周方向角度幅よりもわずかに短くなっている。なお、以下、説明のため、隣接するフランジ４２ａ、４２ｂの間の部分を切り欠き部４２Ａという。
【００２５】
〔レンズフードの着脱〕
以下、レンズフードを鏡筒に着脱可能に取り付ける方法を説明する。図８は、図１に示すレンズフードを図７に示すレンズ鏡筒の接続部材に取り付けた状態におけるレンズフード及び鏡筒の接続部材の断面図である。
まず、レンズフード１を第２の突部３２が、レンズ鏡筒の接続部材４０の切り欠き部４２Ａに対向するように配置する。そして、レンズ鏡筒の接続部材４０のフランジ４２ａ、４２ｂがレンズフード１の第１の突部３０に当接するまで、レンズフード１を鏡筒に向かって移動させる。
【００２６】
次に、レンズ鏡筒に対してレンズフード１を図８の矢印の方向に回転させる。レンズフード１を回転させると、フランジ４２の端部がフードロックボタン６のロック部６ｂの傾斜面６ｂ１に当接する。このように、フランジ４２がロック部６ｂの傾斜面６ｂ１に当接した状態で、さらにレンズフード１を回転させると、ロックバネ８の付勢力に抗して一方のフランジ４２ａがロック部６ｂを半径方向外方に押し込み、一対のフランジ４２が第１及び第２の溝部３４ａ、３４ｂに入り込む。
【００２７】
さらに、レンズフード１を回転せると一方のフランジ４２ａの回転進行方向の端部がロックコマ１０の傾斜面１０ａ１に当接する。このように一方のフランジ４２ａの端部がロックコマ１０の傾斜面１０ａ１に当接した状態で、さらに、他方のフランジ４２ｂの端部がレンズフード１の第２の溝部３４ｂの端部の径止部３６と当接するまで、レンズフード１を回転させる。これにより、ロックコマ１０が板バネ１２の付勢力に抗して半径方向外方に退行する。そして、他方のフランジ４２ｂの端部が径止部３６に当接したら、使用者はレンズフード１に加えていた回転力を開放する。
【００２８】
使用者がレンズフード１に加えていた回転力を開放すると、ロックコマ１０が板バネ１２により半径方向内方に付勢されているため、一方のフランジ４２ａの一端がロックコマ１０の傾斜面１０ａ１により、フードロックボタン６に向かって周方向に付勢される。これにより、一方のフランジ４２ａの他端がフードロックボタン６のロック部６ｂの当接面６ｂ２に当接するまで、レンズフード１がフードロックボタン６に向かって回転する。そして、一方のフランジ４２の両端がロック部６ｂの当接面６ｂ２及びロックコマ１０の傾斜面１０ａ１に挟まれた状態となる。
【００２９】
このような状態では、フランジ４２が第１の突部３０及び第２の突部３０に挟み込まれ、レンズ鏡筒に対するレンズフード１の光軸方向の移動が規制される。さらに、一方のフランジ４２の両端がロック部６ｂと、ロックコマ１０とにより挟まれるため、レンズフード１のレンズ鏡筒に対する回転移動が規制される。
【００３０】
以上説明したように、本実施形態によれば、ロックコマ１０が板バネ１２により半径方向内方に付勢されているため、一方のフランジ４２ａの一端がロックコマ１０の傾斜面１０ａ１により、フードロックボタン６に向かって周方向に付勢される。これにより、一方のフランジ４２ａの周方向両端がロックコマ１０及びフードロックボタン６のロック部６ｂに当接するため、レンズフード１の回転ガタを無くすことができる。また、ロックコマ１０が一方のフランジ４２ａを周方向に付勢する構成であるため、回転ガタの調整作業を行う必要がなくなる。
【００３１】
また、本実施形態によれば、ロックコマ１０がレンズフード１の半径方向外方に向かって、フードロックボタン６の側に周方向に進出するような傾斜面１０ａ１を有し、ロックコマ１０が板バネ１２により半径方向内方に付勢されている。これにより、簡単な構成で、一方のフランジ４２ａを周方向に付勢することができる。
【００３２】
なお、本実施形態では、フードロックボタン６によりフランジ４２ａの一端部を拘束しているが、これに限られない。例えば、これに代えて、レンズフード１又は接続部材４０の一方に凸部を形成し、レンズフード１又は接続部材４０の他方に凹部を形成しておき、この凹部に凸部が嵌合することにより回転を拘束する構成としてもよく、構成は限定されない。
【００３３】
また、本実施形態では、傾斜面１０ａ１が周方向両側に形成されたロックコマ１０を用いてフランジ４２ａを周方向に付勢する構成を例に説明したが、ロックコマ１０はこれに限定されるものではなく、フランジ４２ａを周方向に付勢できる構成であればよい。更に、本実施形態では、ロックコマ１０とフードロックボタン６のロック部６ｂとが第１の溝部３４ａの両端にそれぞれ配置される構成を例に説明したが、これに限定されるものではない。例えば、ロックコマ１０とロック部６ｂとが一体に形成されて第１の溝部３４ａの一端に配置され、第１の溝部３４ａの他の一端に形成された壁部にフランジ４２ａを付勢する構成など、第１の溝部３４ａに収容されたフランジ４２ａをガタを生じさせることなく付勢して保持できる種々の構成を採用することができる。
【００３４】
また、本実施形態では、径方向内方に移動可能なロックコマ１０及びロックコマ１０を径方向内方に付勢する板バネ１２によりフランジ４２ａの一端部を周方向に付勢しているが、これに限らず、例えば、周方向に移動可能なロックコマを設け、ばね等によりこのロックコマを周方向に付勢する構成等としてもよく、構成は限定されない。
【符号の説明】
【００３５】
１  レンズフード
２  フード本体
２ａ  貫通孔
４  フード化粧環
４ａ  ネジ穴
６  フードロックボタン
６ａ  操作部
６ｂ  ロック部
６ｂ１  傾斜面
６ｂ２  当接面
６ｃ  アーム部
６ｄ  軸部
８  ロックバネ
８ａ  第１の腕部
８ｂ  第２の腕部
８ｃ  中心部
１０  ロックコマ
１０ａ  先端部
１０ａ１  傾斜面
１０ｂ  基部
１０ｃ  凹部
１２  板バネ
１２ａ  突出部
１２ｂ  アーム部
１２ｃ  屈曲部
１４  固定ビス
１６  外筒部
１６ａ  上下延出部
１６ｂ  左右延出部
１６ｃ  切り欠き部
１７  ガイド部
１８  内筒部
１８ａ  切り欠き部
１８ｂ  開口
１８ｃ  縁部
１９  突起
２０  接続部
２０ａ  収容孔
２２  環状傾斜面
２２ａ  収容孔
２４  外筒体
２４ｂ  第２の切り欠き部
２６  内筒体
２６ａ  第１の切り欠き部
２６ｂ  第２の切り欠き部
２８  第１の切り欠き部
３０  第１の突部
３２  第２の突部
３４ａ  第１の溝部
３４ｂ  第２の溝部
３６  径止部
４０  接続部材
４０Ａ  基部
４０Ｂ  接続部
４２ａ  一方のフランジ
４２ｂ  他方のフランジ
４２Ａ  切り欠き部
【図１】
2019148696.tif 000003
【図２】
2019148696.tif 000004
【図３】
2019148696.tif 000005
【図４】
2019148696.tif 000006
【図５】
2019148696.tif 000007
【図６】
2019148696.tif 000008
【図７】
2019148696.tif 000009
【図８】
2019148696.tif 000010